【手続補正書】
【提出日】平成18年4月18日(2006.4.18)
【手続補正１】
【補正対象書類名】明細書
【補正対象項目名】発明の名称
【補正方法】変更
【補正の内容】
【発明の名称】半導体レーザ駆動装置及び駆動方法、光記録媒体装置及び再生方法
【手続補正２】
【補正対象書類名】明細書
【補正対象項目名】特許請求の範囲
【補正方法】変更
【補正の内容】
【特許請求の範囲】
【請求項１】
レーザ光を光記録媒体へ照射することにより情報信号を再生する再生装置に搭載される半導体レーザを駆動するための半導体レーザ駆動装置において、
上記光記録媒体の種類を判別する判別手段と、
上記半導体レーザを駆動する駆動信号に対して高周波信号を重畳する信号重畳手段を備え、
上記信号重畳手段は、上記判別手段より判別された上記光記録媒体の種類に応じて、上記重畳する高周波信号の振幅を切り換えることを特徴とする半導体レーザ駆動装置。
【請求項２】
上記判別手段は、上記光記録媒体が、ＤＶＤ−ＲＯＭ、ＤＶＤ±Ｒ、ＤＶＤ±ＲＷの何れに該当するか判別し、
上記信号重畳手段は、上記判別手段により判別された上記光記録媒体がＤＶＤ±ＲＷである場合には、上記重畳する高周波信号の振幅につき、上記情報信号を消去するための高周波信号の振幅以下となるように制御し、上記判別手段により判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項１記載の半導体レーザ駆動装置。
【請求項３】
上記信号重畳手段は、上記半導体レーザを駆動するレーザダイオードドライバであることを特徴とする請求項１記載の半導体レーザ駆動装置。
【請求項４】
レーザ光を光記録媒体へ照射することにより情報信号を再生する再生装置に搭載される半導体レーザを駆動するための半導体レーザ駆動方法において、
上記光記録媒体の種類を判別する判別ステップと、
上記半導体レーザを駆動する駆動信号に対して高周波信号を重畳する信号重畳ステップとを有し、
上記信号重畳ステップでは、上記判別ステップにおいて判別された上記光記録媒体の種類に応じて、上記重畳する高周波信号の振幅を切り換えることを特徴とする半導体レーザ駆動方法。
【請求項５】
上記判別ステップでは、上記光記録媒体が、ＤＶＤ−ＲＯＭ、ＤＶＤ±Ｒ、ＤＶＤ±ＲＷの何れに該当するか判別し、
上記信号重畳ステップでは、上記判別手段により判別された上記光記録媒体がＤＶＤ±ＲＷである場合には、上記重畳する高周波信号の振幅につき、上記情報信号を消去するための高周波信号の振幅以下となるように制御し、上記判別手段により判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項４記載の半導体レーザ駆動方法。
【請求項６】
上記信号重畳ステップでは、上記半導体レーザを駆動するレーザダイオードドライバを介して、上記重畳する高周波信号の振幅を切り換えることを特徴とする請求項４記載の半導体レーザ駆動方法。
【請求項７】
レーザ光を光記録媒体へ照射することにより情報信号を再生する光記録媒体装置において、
上記レーザ光を出射する半導体レーザと、
上記光記録媒体の種類を判別する判別手段と、
上記半導体レーザを駆動する駆動信号に対して高周波信号を重畳する信号重畳手段を備え、
上記信号重畳手段は、上記判別手段より判別された上記光記録媒体の種類に応じて、上記重畳する高周波信号の振幅を切り換えることを特徴とする光記録媒体装置。
【請求項８】
上記判別手段は、上記光記録媒体が、ＤＶＤ−ＲＯＭ、ＤＶＤ±Ｒ、ＤＶＤ±ＲＷの何れに該当するか判別し、
上記信号重畳手段は、上記判別手段により判別された上記光記録媒体がＤＶＤ±ＲＷである場合には、上記重畳する高周波信号の振幅につき、上記情報信号を消去するための高周波信号の振幅以下となるように制御し、上記判別手段により判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項７記載の光記録媒体装置。
【請求項９】
上記信号重畳手段は、上記半導体レーザを駆動するレーザダイオードドライバであることを特徴とする請求項７記載の光記録媒体装置。
【請求項１０】
上記半導体レーザから出射されたレーザ光と、上記光記録媒体からの戻り光を分離するための無偏光ビームスプリッタを更に備えることを特徴とする請求項７記載の光記録媒体装置。
【請求項１１】
半導体レーザから出射されたレーザ光を光記録媒体へ照射することにより情報信号を再生する再生方法において、
上記光記録媒体の種類を判別する判別ステップと、
上記半導体レーザを駆動する駆動信号に対して高周波信号を重畳する信号重畳ステップとを有し、
上記信号重畳ステップでは、上記判別ステップにおいて判別された上記光記録媒体の種類に応じて、上記重畳する高周波信号の振幅を切り換えることを特徴とする再生方法。
【請求項１２】
上記判別ステップでは、上記光記録媒体が、ＤＶＤ−ＲＯＭ、ＤＶＤ±Ｒ、ＤＶＤ±ＲＷの何れに該当するか判別し、
上記信号重畳ステップでは、上記判別ステップにより判別された上記光記録媒体がＤＶＤ±ＲＷである場合には、上記重畳する高周波信号の振幅につき、上記情報信号を消去するための高周波信号の振幅以下となるように制御し、上記判別ステップにより判別された上記光記録媒体がＤＶＤ−ＲＯＭ又はＤＶＤ±Ｒである場合には、上記重畳する高周波信号の振幅につき、上記光記録媒体がＤＶＤ±ＲＷである場合より高くなるように制御することを特徴とする請求項１１記載の再生方法。
【請求項１３】
上記信号重畳ステップでは、上記半導体レーザを駆動するレーザダイオードドライバを介して、上記重畳する高周波信号の振幅を切り換えることを特徴とする請求項１１記載の再生方法。
【請求項１４】
上記半導体レーザから出射されたレーザ光と、上記光記録媒体からの戻り光を、無偏光ビームスプリッタにより分離するレーザ光分離ステップを更に有することを特徴とする請求項１１記載の再生方法。
【手続補正３】
【補正対象書類名】明細書
【補正対象項目名】０００１
【補正方法】変更
【補正の内容】
【０００１】
【発明の属する技術分野】
本発明は、レーザ光を光記録媒体へ照射することにより情報信号を再生する光記録媒体装置に搭載される半導体レーザを駆動するための半導体レーザ駆動装置及び駆動方法、並びにレーザ光を光記録媒体へ照射することにより情報信号を再生する光記録媒体装置及び再生方法に関する。
【手続補正４】
【補正対象書類名】明細書
【補正対象項目名】００１９
【補正方法】変更
【補正の内容】
【００１９】
本発明者は、上述した問題点を解決するために、レーザ光を光記録媒体へ照射することにより情報信号を再生する光記録媒体装置において、判別した光記録媒体の種類に応じて、半導体レーザを駆動するための駆動信号に重畳する高周波信号の振幅を切り換える光記録媒体装置及び再生方法を発明した。
【手続補正５】
【補正対象書類名】明細書
【補正対象項目名】００２０
【補正方法】変更
【補正の内容】
【００２０】
即ち、本発明を適用した光記録媒体装置は、レーザ光を光記録媒体へ照射することにより情報信号を再生する再生装置において、上記レーザ光を出射する半導体レーザと、上記光記録媒体の種類を判別する判別手段と、上記半導体レーザを駆動する駆動信号に対して高周波信号を重畳する信号重畳手段を備え、上記信号重畳手段は、上記判別手段より判別された上記光記録媒体の種類に応じて、上記重畳する高周波信号の振幅を切り換える。